(57)【要約】【課題】小型化を図り、記録精度や読取精度を維持しつつ画像読取部のインク汚れを抑制可能な画像読取記録装置を提供する。【解決手段】原稿搬送部および記録シート搬送部からなる用紙搬送手段と、原稿の画像を読み取る読取手段と、記録シートに画像を記録する記録手段と、読取手段の白基準を規定し通紙方向幅方向に少なくとも１つの切り欠きを有する白基準規定部材とを設ける。原稿搬送手段と記録紙搬送手段との搬送路が少なくとも一部共通の搬送路となり、共通搬送路内で読み取りおよび記録を行う。読取手段が白基準規定部材を把持しているとともに、読取手段を共通搬送路から退避可能に構成する。【選択図】        図１
2004180143.tif 000002
【特許請求の範囲】
【請求項１】
被読取媒体を搬送する原稿搬送部および記録シートを搬送する記録シート搬送部からなる用紙搬送手段と、
上記被読取媒体の画像情報を読み取る読取手段と、
上記記録シートに対して画像形成を行う記録手段と、
上記読取手段の白基準を規定する白基準規定部材と、
上記原稿搬送部の搬送路および上記記録シート搬送部の搬送路における少なくとも一部が共通である共通搬送路とを有し、
上記共通搬送路において上記読取手段による読み取りおよび上記記録手段による記録が実行され、
上記白基準規定部材が上記読取手段に把持され、上記読取手段が上記共通搬送路から退避可能に構成されている
ことを特徴とする画像読取記録装置。
【発明の詳細な説明】
【０００１】
【発明の属する技術分野】
この発明は、画像読取記録装置に関し、特に、ファクシミリ装置などの、原稿の画像を読み取る読取手段と、記録媒体に画像を記録したり印字したりする記録手段とが、一体的に備えられた画像読取記録装置に適用して好適なものである。
【０００２】
【従来の技術】
従来技術によるインクジェット記録方式のファクシミリ装置の構成について、図１２を参照しつつ説明する。
【０００３】
図１２に示すように、従来技術によるファクシミリ装置においては、記録紙保持部材３０３に載置された記録紙３０１が、記録紙給紙ローラ３０４および分離機構（図示せず）により１枚ずつ給紙される。
【０００４】
給紙された記録紙３０１は、給送ローラ３０５により印字部３０６に搬送される。その後、記録紙３０１上に、インクジェットなどの画像形成機構によって画像が形成されるとともに、排紙ローラ３０７によって装置外に排出される（矢印Ｂ方向）。
【０００５】
他方、原稿保持部材３０８に載置された原稿３０２は、原稿分離ローラ３０９と分離片３１３とから構成されるくさび形状に突き当たる状態でセットされる。
【０００６】
そして、画像読取命令により原稿分離ローラ３０９が回転すると、くさび形状の部分に留められた原稿３０２のうちで、原稿分離ローラ３０９と接する原稿３０２のみが摩擦により分離搬送される。
【０００７】
分離搬送された原稿３０２は、原稿給送ローラ３１０、排紙ローラ３１２およびその対向コロに侠持されつつ搬送される。そして、コンタクトイメージセンサ３１１によって画像情報が読み取られながら、原稿３０２が、矢印Ａ方向に沿って装置外に排出される。
【０００８】
さて、市場の要望などから、上述した構成を有するファクシミリ装置の小型化を図る場合、記録紙３０１の搬送に用いられる上述の搬送機構を、原稿搬送機構として兼用することが考えられた。
【０００９】
すなわち、原稿搬送として用いられる、給送ローラ３０５、排紙ローラ３１２および原稿駆動用モータ（図示せず）が削減された構成とする。
【００１０】
【発明が解決しようとする課題】
しかしながら、このようなファクシミリ装置などの画像読取記録装置においては、次のような問題があった。
【００１１】
すなわち、本発明者の知見によれば、上述した装置構成を採用することにより、装置の小型化を図ることができるのみならず、製造コストの低コスト化を図ることが可能となる。
【００１２】
ところが、上述した装置構成では、原稿３０２が記録部の近傍を通過することになるため、記録部から生じるインクミストやインク漏れといった汚れの発生や付着を無視できなくなる。
【００１３】
また、インク未定着紙のジャムなどのトラブルが発生した場合、インクが画像読取部や白基準規定部材に付着してしまうという問題も生じてしまう。
【００１４】
したがって、この発明の目的は、装置の小型化を図って低コスト化を図ることができるとともに、記録精度および読取精度を維持しつつ、画像読取部における汚れを防止することができる画像読取記録装置を提供することにある。
【００１５】
【課題を解決するための手段】
上記目的を達成するために、この発明は、
原稿を搬送する原稿搬送部および記録シートを搬送する記録シート搬送部からなる用紙搬送手段と、
原稿の画像情報を読み取る読取手段と、
記録シートに対して画像形成を行う記録手段と、
読取手段の白基準を規定する白基準規定部材と、
原稿搬送部の搬送路および記録シート搬送部の搬送路における少なくとも一部が共通である共通搬送路とを有し、
共通搬送路において読取手段による読み取りおよび記録手段による記録が実行され、
白基準規定部材が読取手段に把持され、読取手段が共通搬送路から退避可能に構成されている
ことを特徴とするものである。
【００１６】
この発明において、典型的には、記録手段は、信号に応じてインクを吐出し、記録を行うインクジェット記録方式が採用される。また、この発明において、典型的には、読取手段は、読取動作時にインクヘッドが走査する領域に移動するが、必ずしもこの領域への移動に限るものではない。
【００１７】
また、この発明において、典型的には、白基準規定部材は、読取手段に対して離間可能に把持されている。また、この発明において、典型的には、白基準規定部材は、原稿通紙幅の範囲外において読取手段に対して間隙を形成する突起形状を有して読取手段に把持されている。
【００１８】
上述のように構成されたこの発明による画像読取記録装置によれば、読取手段に白基準規定部材が把持され、読取手段が共通搬送路から退避可能に構成されていることにより、読取原稿搬送用の駆動源や原稿搬送機構が不要となるので、小型化および省スペース化を図ることができる。
【００１９】
【発明の実施の形態】
以下、この発明の一実施形態について図面を参照しながら説明する。なお、以下の一実施形態の全図においては、同一または対応する部分には同一の符号を付す。また、以下の一実施形態に記載されている構成部品の寸法、材質、形状、またはそれらの相対配置などは、特に特定的な記載がない限りは、この発明の範囲はそれらのみに限定する趣旨のものではない。
【００２０】
（全体構成）
まず、この発明の一実施形態による、記録媒体としての記録紙に画像を記録する記録機能と、被読取媒体としての原稿の画像を読み取る読取機能とを有し、記録紙と原稿との共通の搬送路内に記録機能を有する記録部と、スキャナ機能を有する読取部とが配置されたファクシミリ装置について説明する。
【００２１】
図１に、この一実施形態による画像読取記録装置の一例としてのファクシミリ装置を示し、図２に、このファクシミリ装置の主要部の斜視図を示し、図３に主要部の断面図を示す。
【００２２】
図１に示すように、この一実施形態によるファクシミリ装置は、記録手段としてのインクカートリッジ１、印字対向面を形設するプラテン３、記録紙２を保持する保持手段としての記録紙給紙トレイ８、原稿１２の保持手段としての原稿トレイ１１、読取動作を行う読取手段としてのコンタクトイメージセンサ２２および、このコンタクトイメージセンサ２２を保持するコンタクトイメージセンサホルダ（ＣＳホルダ）２６を有して構成されている。
【００２３】
これらのうちの記録紙給紙トレイ８および原稿トレイ１１の搬送方向に沿った先端近傍には、分離機構が設けられている。この分離機構により、記録紙給紙トレイ８にセットされた記録シートとしての記録紙２や、原稿トレイ１１にセットされた被読取媒体としての原稿１２を１枚ずつ分離搬送可能に構成されている。
【００２４】
また、ＣＳホルダ２６には、白基準規定部材２５が回動可能に把持されている。このＣＳホルダ２６は、装置本体に対して回動可能に軸支されている。これにより、記録時にプラテン３の近傍から退避し、読取時にプラテン３上の印字部近傍に移動可能に構成されている。
【００２５】
また、記録紙分離ローラ対１９が、シート幅方向に沿って原稿分離ローラ１５を挟むように設けられている。すなわち、記録紙分離ローラ対１９が、シート幅方向に沿って、それぞれ原稿分離ローラ１５の両側に配置されている。
【００２６】
このような配置を採用することにより、図３に示すように、断面方向におけるオーバーラップが可能となる。これにより、ファクシミリ装置の小型化を図ることができる。さらに、原稿分離ローラ１５を原稿のシート幅方向に沿って、ほぼ中央に配置することにより、原稿斜行を軽減することも可能となる。
【００２７】
また、記録紙２の印字動作を図２に示す。図２に示すように、記録紙２の印字動作に関しては、ベース部材３５の一方の側面（図２中、右側面）を基準としている。
【００２８】
また、この記録紙２の基準から近い位置、具体的に、例えば基準から約４３ｍｍの位置に、第１の記録紙分離ローラ１９ａが配置されているとともに、基準から遠い位置、具体的に、例えば基準から約１８９ｍｍの位置に、第２の記録紙分離ローラ１９ｂが配置され、第１の記録紙分離ローラ１９ａおよび第２の記録紙分離ローラ１９ｂが、原稿分離ローラ１５を挟むようにして設けられる。
【００２９】
このような配置を採用することにより、ハガキサイズからＡ４サイズまでの、幅広いサイズに対応させることが可能となる。
【００３０】
さらに、図１に示すように、分離された記録紙２および原稿１２は、共通の給送ローラ１０および排紙ローラ１７により搬送される。これにより、読取用駆動モータや原稿搬送用機構を別途設ける必要がなく、低コスト化を図ることができるとともに、ファクシミリ装置を全体的に小型化することが可能となる。
【００３１】
また、コンタクトイメージセンサ２２は、読取動作時において、給送ローラ１０と排紙ローラ１７との間におけるキャリッジの移動経路内において、プラテン３に対向するように配置されている。これにより、搬送される原稿１２の上面をコンタクトイメージセンサ２２によって読み取り可能に構成されている。なお、キャリッジの詳細については、後述する。
【００３２】
そして、このコンタクトイメージセンサ２２においては、白基準規定部材２５を把持しつつ印字動作時において印字面から回動離間して退避する構成が採用される。これにより、記録動作時におけるインクミストやインク漏れによる汚れの付着を防止することが可能となる。また、この読取手段においては、読取動作時に印字手段が往復する位置に配置されているため、装置をより一層小型化することが可能となる。
【００３３】
次に、それぞれの手段における動作について詳細に説明する。
【００３４】
（記録手段）
まず、この発明の一実施形態によるファクシミリ装置の記録手段について説明する。図４に、この一実施形態によるファクシミリ装置の斜視図を示す。
【００３５】
図４に示すように、記録手段は、搬送手段としての給送ローラ１０や排紙ローラ１７により搬送された記録紙２などの被記録材に、インク像を記録するものである。このファクシミリ装置における記録手段としては、例えば、インクカートリッジ１からインクを吐出して記録するインクジェット記録方式が採用される。
【００３６】
すなわち、このインクカートリッジ１は、微細な液体吐出口（オリフィス）、液路、この液路の一部に設けられるエネルギー作用部および、このエネルギー作用部に存在する液体に作用させる液滴形成エネルギーを発生するエネルギー発生手段が備えられている。
【００３７】
また、全体構成においてインクジェット記録方式を採用することにより、小型化およびランニングコストなどの面で有利である。しかしながら、インクの摘出時に発生するインクミストによりインクカートリッジ１の周辺に汚れが付着してしまう。
【００３８】
そこで、この一実施形態においては、記録紙２に記録を行う印字中において、コンタクトイメージセンサ２２が読取待機位置に退避して、印字面から離間する構成が採用される。また、コンタクトイメージセンサ２２の読取面を、白基準規定部材２５に覆う構成にすることにより、インクミストによる汚れを大幅に軽減することが可能となる。
【００３９】
また、読取部２８の待機位置が印字面から離間していることにより、たとえ印字部において記録紙ジャムなどが生じても、未定着インクがコンタクトイメージセンサ２２の読取面や白基準規定部材２５に付着するというトラブルが生じることを防止することが可能となる。
【００４０】
（キャリッジ）
次に、この一実施形態によるファクシミリ装置におけるキャリッジについて説明する。図５および図６に、この一実施形態によるキャリッジを含む主要部を示す。
【００４１】
すなわち、図５に示すように、キャリッジ４は、インクカートリッジ１を搭載し、記録紙２の幅方向に沿って、インクカートリッジ１を走査させるためのものである。
【００４２】
また、図６に示すように、このキャリッジ４には、キャリッジ駆動モータ３３により駆動されるプーリ５に掛け渡された、無端ベルト状のタイミングベルト６が連結されている。
【００４３】
そして、図５に示すキャリッジ４は、プーリ５を連結したタイミングベルト６によって回転駆動させることにより、ガイドレール７に沿って往復移動可能に構成されている。
【００４４】
また、このキャリッジ４は、通常、ガイドレール７の一方の端、例えば右端の待機位置において待機するように構成されているとともに、印字ヘッドが乾燥しないようにゴム部材（いずれも図示せず）により保護されている。
【００４５】
また、キャリッジ４は、読取動作時においても待機位置で留まるように構成されている。そして、インクカートリッジのインクが無くなった場合の交換は、図５に示すキャッピングポジションにおいて、インクカートリッジ１を手前側に取り外して行われる。
【００４６】
（記録紙給紙手段）
次に、この一実施形態によるファクシミリ装置の記録紙給紙手段について説明する。図７に、この記録紙給紙部の一部である記録紙給紙トレイ８を示す。
【００４７】
図７に示すように、複数枚の記録紙２を積載収納可能な記録紙給紙トレイ８の一端部には、第１の記録紙分離ローラ１９ａおよび第２の記録紙分離ローラ１９ｂが設けられている。
【００４８】
これらの記録紙分離ローラ１９ａ，１９ｂ（記録紙分離ローラ対１９）は、プラスチックにより成型された軸部材の２箇所に、軸より大径に形成された円筒部が設けられ、これに摩擦弾性体を取付けて構成されている。また、この軸部材の両端部がベース部材３５に軸支されているとともに、その一端が、駆動伝達手段（図示せず）を経て、図６に示す駆動モータ２０に連結されている。
【００４９】
また、図１に示すように、圧板９が記録紙分離ローラ対１９とベース部材３５との間に配置されている。この圧板９は、ベース部材３５に回動自在に軸支されている。そして、記録紙分離ローラ対１９と一体に形成されたカムにより、記録紙分離ローラ対１９が矢印Ａ方向に回転されて、記録紙分離ローラ対１９の外周面に圧板９が接触および離反するように構成されている。
【００５０】
また、記録紙分離ローラ対１９の表面は、例えばゴムなどの弾性体から構成されているとともに、Ｄ字状の断面を有している。そして、図３に示すように、記録紙分離ローラ対１９は、待機状態においてＤ字状の切り欠き部（Ｄカット部）が記録紙２と対向するように停止され、原稿下ガイド部材２３と記録紙分離ローラ対１９との間に隙間が形成されるように構成されている。
【００５１】
また、接触状態においては、図２に示すように、後述する原稿下ガイド部材２３に形成された切り欠き部分を超えて、原稿下ガイド部材２３の下面から突出し、圧板９に載置された記録紙２の束の最上位の記録紙２に当接するよう配置されている。
【００５２】
また、回転する記録紙分離ローラ対１９に接触した記録紙２は、分離爪３１によりせき止められる。そして、せき止められた記録紙２を除いた最上位の記録紙２が、記録紙分離ローラ対１９との摩擦によって分離爪３１を乗り越えて搬送される。
【００５３】
続いて、記録紙分離ローラ対１９が１回転した後、再度円周から退避したローラ対１９のＤカット部が記録紙２から離反するとともに、圧板９がカムによって押し下げられた待機状態に戻る。これにより、給送ローラ１０が記録紙２を搬送中に、２枚目以降の記録紙２が記録紙分離ローラ対１９と接することがなくなる。したがって、記録紙２の搬送を安定して行うことが可能となる。
【００５４】
なお、このようにして給紙動作を開始しても、ＰＥＳ（Ｐａｐｅｒ  Ｅｄｇｅ  Ｓｅｎｓｏｒ）２１に記録紙２が到達しない場合には、再給紙動作を行う。さらに、この時にもＰＥＳ２１がオンにならない場合においては、記録紙搬送動作がエラーストップする。このエラーストップの情報は、操作パネル（図示せず）などに供給され、エラーの通知情報が表示される。
【００５５】
（記録紙搬送動作）
次に、記録紙搬送動作について説明する。すなわち、図１に示すように、この一実施形態による用紙搬送手段における共通搬送路は、プラテン３と、補助プラテン部材３ａと、プラテン３に軸支された給送ローラ１０と、４つのピンチローラ１６と、ピンチローラ１６を軸支するピンチローラガイド３６と、排紙ローラ１７と、排紙ローラ１７に当接した複数の拍車１８と、この拍車１８を排紙ローラ１７に圧接するように軸支された拍車ホルダ（図示せず）とから構成される。
【００５６】
また、図８に示すように、プラテン３は、記録紙搬送路の下側の支持面として機能するとともに、その記録紙支持面には、紙幅方向に複数のリブ３８が形成されている。記録紙搬送の際には、リブ３８の上面を記録紙が通過するように構成されている。
【００５７】
また、補助プラテン部材３ａは、このプラテン３の記録紙支持面に形成された凹部に配置され、プラテン３に続いて記録紙２の下側の支持面として機能する。
【００５８】
この補助プラテン部材３ａは、両側面の用紙搬送方向の上流側に形成された軸を、プラテン３に形成された支持部によって軸支され、通常時においては、プラテン３の記録紙支持面と補助プラテン部材の記録紙支持面とが、同一平面になるように記録紙支持面の裏面をバネにより付勢されている。そして、上部から付勢力を超えた力により押圧された場合に、プラテン３の記録紙支持面に対して所定深さ、具体的には、例えば５ｍｍ程度、沈み込むように構成されている。
【００５９】
また、４つのピンチローラ１６は、給送ローラ１０に当接され紙幅方向に併設されている。また、ピンチローラ１６を軸支するピンチローラガイド３６は、給送ローラ１０にピンチローラ１６を圧接させるように構成されている。また、排紙ローラ１７は、プラスチックとエラストマーとが一体に成形されている。
【００６０】
上述した給送ローラ１０およびピンチローラ１６における搬送方向は、給送ローラ１０の上流側から下流側に向けて、斜め下方向に設定されている。
【００６１】
他方、排紙ローラ１７および拍車１８による搬送方向は、排紙ローラ１７の上流側から下流側に向けて、斜め上方向に設定されている。このように設定することにより、用紙搬送手段によって搬送される用紙がプラテン３の用紙支持面に当接しながらＰ方向に搬送される。
【００６２】
また、上述した給送ローラ１０およびピンチローラ１６において発生する記録紙搬送力Ｆ０は、原稿下ガイド部材２３の裏面と記録紙２との摩擦抵抗力を無視可能なほど大きい。しかしながら、記録紙送り精度に影響を与える場合には、原稿下ガイド部材２３の裏面に高分子シートなどの低摩擦部材を貼付するようにしてもよい。
【００６３】
そして、記録動作は、上述したキャリッジ４の往復移動とともに、インクカートリッジ１から画像情報に応じたインクが吐出されることにより行われる。
【００６４】
（原稿給紙手段）
次に、この一実施形態によるファクシミリ装置の用紙搬送手段の一部をなす原稿給紙手段について説明する。図２、図３、図９に、このファクシミリ装置の原稿給紙手段を示す。
【００６５】
図２および図９に示すように、原稿トレイ１１は、原稿１２を複数枚収納可能に構成されている。原稿トレイ１１には、斜行を防止するための原稿スライダ３０が形設され、原稿の幅に合わせて移動可能となっている。
【００６６】
そして、図３に示すように、原稿分離ローラ１５が矢印Ｃの方向に回動することによって、原稿トレイ１１にセットされた原稿１２が搬送される。
【００６７】
この原稿分離ローラ１５は、金属からなる軸部材に円筒状の摩擦弾性部材を取付けられて成形されている。この原稿分離ローラ１５は、ベース部材３５の側板に回転自在に軸支されているとともに、軸の一端が読取駆動伝達手段および駆動切替手段を介して、駆動モータ２０に連結されている。
【００６８】
また、分離片１３は、原稿下ガイド部材２３に回動可能に軸支される分離片支持部材３７に保持されている。この分離片１３は、例えばゴムなどの摩擦係数の高い材料から構成され、原稿分離ローラ１５に対して、分離バネ（図示せず）により付勢されている。
【００６９】
また、原稿搬送補助部材２７は、原稿分離ローラ１５に向けて原稿１２を押し付けることによって原稿分離の補助的動作を行うためのものである。
【００７０】
そして、セットされた原稿１２の先端は、分離片１３と原稿分離ローラ１５とにより構成されるくさび形状の部分に留められている。そして、このくさび形状の部分に留められた原稿１２のうちの最上面の原稿１２が、原稿分離ローラ１５との摩擦により搬送される。
【００７１】
このようにして分離された原稿１２は、下面を原稿下ガイド部材２３に支持されつつ、記録紙２の搬送におけると同様にしてＰＥＳ２１に向けて搬送される。この時、上述したように記録紙分離ローラ対１９の回転方向の位相が初期状態を維持しているとともに、記録紙分離ローラ対１９のＤカット部と原稿下ガイド部材２３のアンダーカット板金との間には、原稿１２が１枚通紙するのに十分な間隙が設けられている。
【００７２】
また、原稿上ガイド部材１４は、短冊状に形成されている。そして、この原稿上ガイド部材１４は、搬送の上流側が原稿分離ローラ１５の軸部材により軸支されている。他方、この原稿上ガイド部材１４の下流側は、原稿１２によって押圧された時に、記録紙給紙ローラの軸部材と原稿上ガイド部材の上面が当接するように構成されている。
【００７３】
また、原稿上ガイド部材１４と記録紙給紙ローラとが当接状態の場合にも、記録紙分離ローラ対１９の摩擦弾性部材より原稿上ガイド部材１４のガイド面が凸形状になるように構成されている。これにより、原稿１２が記録紙分離ローラの摩擦弾性部材に接触し搬送不良となるのを防止している。
【００７４】
その後、ＰＥＳ２１を通過した原稿１２は、記録紙２の搬送におけると同様に、給送ローラ１０とピンチローラ１６との対によって侠持搬送されて、プラテン３に到達する。
【００７５】
（読取動作）
次に、この一実施形態によるファクシミリ装置の読取部について説明する。図１０に、このファクシミリ装置における読取部を示す。
【００７６】
図１０に示すように、この一実施形態による読取部２８は、主に、コンタクトイメージセンサ（ＣＳ）２２とＣＳホルダ２６と白基準規定部材２５とから構成されている。
【００７７】
ＣＳ２２は、ＣＳホルダ２６に成形された凹部にセンサ面が外側になるように収容されているとともに、例えばネジなどの締結部材によって固定されている。
【００７８】
白基準規定部材２５は、白色のシートが金属板に取付けられて形成されている。そして、この白基準規定部材２５においては、金属板が、白色シートを取り付ける平面と長手方向端部を折り曲げて形成された側板とから構成されている。
【００７９】
また、側板には、開口（穴）が形成されており、この穴にＣＳホルダ２６に形成された軸を係合することによって、白基準規定部材２５をＣＳホルダ２６およびＣＳ２２に対して回転可能に支持した状態で、ねじりコイルバネにより白基準規定部材２５をＣＳ２２の側に付勢している。
【００８０】
また、白基準規定部材２５には、ＣＳ２２に対して付勢した状態で、ＣＳ２２のセンサ面と白基準規定部材２５の白色シートとが、少なくとも１枚の原稿を通過可能な突起が設けられ、ＣＳ２２のセンサ面と隙間を形成する。
【００８１】
白基準規定部材２５は、コイルバネによって付勢されているため、ＣＳ２２と対向している付勢状態（図１の状態）と、ねじりコイルバネに抗して白基準規定部材２５とＣＳ２２とに対して離反する方向に回転させて離反可能に構成されている。なお、この離反は、清掃可能状態であり、図６に示す状態である。
【００８２】
また、ＣＳホルダ２６の長手方向の一方の側面、具体的に例えば右側面には、中空のボスが形成されており、プラテン３に取付けられたＣＳホルダ支持部材には、このボスが成形されており、中空部において係合されている。また、他方の側面、具体的には例えば左側面には、ボスが成形されており、プラテン３に成形された軸受部に係合されている。
【００８３】
上述した左右両側の係合部は、同軸上に設けられており、ＣＳホルダ２６は、図１１に示す第１のポジション（待機位置）から図１および図１０に示す第２のポジション（読取位置）に回転移動可能に構成されている。
【００８４】
この待機位置である第１のポジションは、キャリッジ４およびキャリッジ４に取付けられたインクカートリッジ１が、記録動作時に、キャリッジ４の移動範囲内の移動により接触しない位置に設けられている。
【００８５】
他方、読取位置である第２のポジションは、キャリッジ４の移動空間内であって、ＣＳ２２の読取面と白基準規定部材２５との隙間から形成される原稿読取搬送路と、用紙搬送手段によって形成される用紙搬送路とが一致するまで回転させた位置になるように設けられている。
【００８６】
第２のポジションは、記録部のインクによって白基準規定部材２５の白色シートまたはＣＳ２２の読取面が汚れた場合に、この汚れた部分のユーザが清掃可能に構成されている。
【００８７】
また、用紙排出方向から見たときに、インクカートリッジ１がキャッピングポジション（キャリッジ移動範囲内の右端の位置）にある状態で、第２のポジションに移動できるように、ＣＳホルダ２６の左右方向の位置が決定されている。
【００８８】
また、白基準規定部材２５の金属板の用紙搬送方向に沿った上流側は、くし歯形状に形成されており、このくし歯における歯間に、プラテン３のリブが嵌入可能に構成されている。
【００８９】
また、白基準規定部材２５の金属板の用紙搬送方向に沿った下流側には、長手方向の強度を増加させるための曲げ部が設けられている。この曲げ部により、上述した回転可能に支持された補助プラテン部材３ａが押し下げられ、第２のポジションを形成可能に構成されている。
【００９０】
また、ＣＳホルダ２６の紙幅方向の一方の側、具体的には左側には、駆動切替手段およびＣＳ駆動伝達手段を介して駆動モータ２０に連結されたＣＳ駆動部（図示せず）が配置されている。
【００９１】
そして、駆動モータ２０の駆動によってＣＳ駆動部が動作されて、ＣＳホルダ２６を第１のポジションまたは第２のポジションに回転させる。
【００９２】
次に、実際に原稿２の画像情報を読み取る読取動作については、ＣＳホルダ２６が、ファクシミリ装置のスタンバイ状態において、弾性部材としての、例えばねじりコイルバネ（図示せず）により、断面から見て反時計方向に付勢されて、第１のポジション（待機位置）に保持される。
【００９３】
そして、原稿１２がセットされた状態で読取動作が開始されると、まず、駆動切替手段によって駆動モータ２０の駆動が読取モードに切り替えられる。そして、読取駆動伝達手段を介して原稿分離ローラ１５を回転させることにより、原稿給紙動作が開始されるとともに、ＣＳ駆動伝達手段を介してＣＳ駆動手段が作動され、ＣＳホルダ２６の移動が開始される。
【００９４】
また、読取駆動伝達手段とＣＳ駆動伝達手段のギア比およびローラ径を調節することによって、原稿１２が給送ローラ１０に到達する前に、ＣＳホルダ２６が第２のポジションに移動するように設定されている。
【００９５】
そして、ＣＳホルダ２６が第２のポジションに移動すると、ＣＳ駆動手段とＣＳ駆動伝達手段とを連結しているクラッチが切れ、ＣＳホルダ２６が停止する。
【００９６】
他方、給送ローラ１０に到達した原稿１２は、給送ローラ１０に搬送され、読取搬送路を通過するとともにＣＳ２２により画像データを読み取られて、排紙ローラ１７によって装置外に排出される。
【００９７】
以上のようにして、この一実施形態によるファクシミリ装置による読取動作が行われる。
【００９８】
以上、この発明の一実施形態について具体的に説明したが、この発明は、上述の一実施形態に限定されるものではなく、この発明の技術的思想に基づく各種の変形が可能である。
【００９９】
例えば、上述の一実施形態において挙げた数値はあくまでも例に過ぎず、必要に応じてこれと異なる数値を用いてもよい。
【０１００】
なお、上述の一実施形態においては、画像読取記録装置を備えた装置の構成例として、ファクシミリ装置が挙げられているが、これに限定する趣旨ではなく、レーザプリンタ、インクジェットプリンタ、モノクロ複写機またはフルカラー複写機などの、画像読取記録装置を備えたあらゆる画像形成装置に適用することが可能である。
【０１０１】
また、例えば上述した白基準規定部材２５は、読取手段の読取面を覆うように把持された構成としてもよい。
【０１０２】
また、例えば上述の一実施形態においては、白基準の金属板の用紙搬送方向下流側には、長手方向の強度を強くするための曲げ部が形成されており、曲げ部が上述した回転可能に支持された補助プラテン部材３ａを押し下げて、ＣＳホルダ第２のポジションを形成するようになっているが、ＣＳホルダ２６の一部が補助プラテン部材３ａと当接し、補助プラテン部材３ａを押し下げる構成を採用しても良い。または、ＣＳ２２の一部が、直接、補助プラテン部材３ａと当接し、補助プラテン部材３ａを押し下げる構成を採用することも可能である。
【０１０３】
また、この発明は、上述の実施形態に限定されるものではなく、以下の技術的思想を含むとともに、これらの技術的思想のあらゆる組み合わせを包含するものである。
【０１０４】
（実施態様１）
原稿搬送手段と記録紙搬送手段と、原稿の画像情報を読取る読取手段と、記録紙に画像形成を行う記録手段と、読取手段の白基準を規定する白基準規定部材と、原稿搬送手段と記録紙搬送手段の搬送路が少なくとも一部共通の搬送路を有し、共通搬送路内で読取および記録を行う装置において、読取手段が共通搬送路から退避し、かつ白基準規定部材は読取手段に把持されている画像読取記録装置。
【０１０５】
（実施態様２）
白基準規定部材は、読取手段の読取面を覆うように把持されている実施態様１記載の画像読取記録装置である。
【０１０６】
この実施態様２の構成によれば、白基準規定部材が読取手段の読取面を覆うように把持されているので、インクミストなどにより読取記録面が汚れることを防ぐことが可能となる。
【０１０７】
（実施態様３）
記録手段が、信号に応じてインクを吐出し記録を行うインクジェット記録方式である実施態様１記載の画像読取記録装置。
【０１０８】
この実施態様３の構成によれば、記録部の小型化を図ることができるとともに、ランニングコストを下げることが可能となる。
【０１０９】
（実施態様４）
読取手段が、読取動作時にインクヘッドが走査する領域に移動するように構成された実施態様１記載の画像読取記録装置。この実施態様４の構成によれば、装置のより一層の小型化および省スペース化を図ることができる。
【０１１０】
（実施態様５）
白基準規定部材が、読取手段により離間可能に把持される実施態様１記載の画像読取記録装置。この実施態様５の構成によれば、ユーザの読取面の清掃を容易化することが可能となる。
【０１１１】
（実施態様６）
白基準規定部材が、原稿通紙幅の範囲外において読取手段に対して間隙を形成する突起形状を有して読取手段に把持される構成を有する実施態様１記載の画像読取記録装置。この実施態様６の構成によれば、原稿を読取面に対し適切な間隔を持ちつつ搬送させることが可能となる。
【０１１２】
【発明の効果】
以上説明したように、この発明によれば、原稿搬送部および記録シート搬送部からなる用紙搬送手段と、読取手段と、記録手段と、読取手段の白基準を規定する白基準規定部材と、原稿搬送部の搬送路および記録シート搬送部の搬送路における少なくとも一部が共通である共通搬送路とを有し、共通搬送路において読取手段による読み取りおよび記録手段による記録が実行され、白基準規定部材が読取手段に把持され、読取手段が共通搬送路から退避可能に構成されていることにより、読取原稿搬送用の駆動原または原稿搬送機構を設ける必要がなくなり、装置本体の低コスト化を図ることができるとともに、記録紙と原稿読取とにおける搬送精度のより一層の安定化を図ることができる。
【図面の簡単な説明】
【図１】この発明の一実施形態による画像読取記録装置における読取動作時の全体構成を示す断面図である。
【図２】この発明の一実施形態による画像読取記録装置における記録動作時の記録紙の搬送を示す斜視図である。
【図３】この発明の一実施形態による画像読取記録装置における原稿が積載された状態における原稿および記録紙分離部の構成を示す断面図である。
【図４】この発明の一実施形態による画像読取記録装置における記録動作時の読取部の位置と記録紙の流れを示す斜視図である。
【図５】この発明の一実施形態による画像読取記録装置における記録動作時の読取部の位置を示す斜視図である。
【図６】この発明の一実施形態による画像読取記録装置におけるモータの配置および離反状態の白基準を示す斜視図である。
【図７】この発明の一実施形態による画像読取記録装置における読取動作時の原稿の搬送を示す斜視図である。
【図８】この発明の一実施形態による画像読取記録装置における読取動作時の読取部の位置と原稿の搬送を示す斜視図である。
【図９】この発明の一実施形態による画像読取記録装置における原稿保持部を示す斜視図である。
【図１０】この発明の一実施形態による画像読取記録装置における読取部を通過する原稿の搬送経路を示す断面図である。
【図１１】この発明の一実施形態による画像読取記録装置における記録動作時の全体構成を示す断面図である。
【図１２】従来の画像読取記録装置の構成を説明する断面図である。
【符号の説明】
１  インクカートリッジ
２  記録紙
３  プラテン
３ａ  補助プラテン部材
４  キャリッジ
５  プーリ
６  タイミングベルト
７  ガイドレール
８  記録紙給紙トレイ
９  圧板
１０  給送ローラ
１１  原稿トレイ
１２  原稿
１３  分離片
１４  原稿上ガイド部材
１５  原稿分離ローラ
１６  ピンチローラ
１７  排紙ローラ
１８  拍車
１９  記録紙分離ローラ対
１９ａ  第１の記録紙分離ローラ
１９ｂ  第２の記録紙分離ローラ
２０  駆動モータ
２１  ＰＥＳ
２２  コンタクトイメージセンサ（ＣＳ）
２３  原稿下ガイド部材
２５  白基準規定部材
２６  ＣＳホルダ
２７  原稿搬送補助部材
２８  読取部
３０  原稿スライダ
３１  分離爪
３３  キャリッジ駆動モータ
３５  ベース部材
３６  ピンチローラガイド
３７  分離片支持部材
３８  リブ
【図１】
2004180143.tif 000003
【図２】
2004180143.tif 000004
【図３】
2004180143.tif 000005
【図４】
2004180143.tif 000006
【図５】
2004180143.tif 000007
【図６】
2004180143.tif 000008
【図７】
2004180143.tif 000009
【図８】
2004180143.tif 000010
【図９】
2004180143.tif 000011
【図１０】
2004180143.tif 000012
【図１１】
2004180143.tif 000013
【図１２】
2004180143.tif 000014